(57)【要約】【課題】受信状況の悪化によって楽曲コンテンツ配信サーバから配信される楽曲コンテンツに基づく音声を出力できない場合であっても、ユーザが面倒なく、今まで聴いていた楽曲コンテンツと類似する楽曲コンテンツを聴き続けることが可能な「再生制御装置および再生制御方法」を提供する。【解決手段】インターネットラジオの楽曲コンテンツ配信サーバ１２０から配信される楽曲コンテンツの携帯端末１４０における受信レベルが所定値未満である場合、楽曲コンテンツの配信を受けるために設定したラジオ局情報に含まれる属性情報が付随している楽曲コンテンツを楽曲コンテンツ記憶部５２０から取り出して再生することにより、インターネットラジオとは異なる音楽ソースからユーザが類似する楽曲コンテンツを探し出して再生する操作をわざわざ行わなくても、配信される楽曲コンテンツと属性情報の一致する楽曲コンテンツが自動的に再生されるようにする。【選択図】図１
2012173695.tif 000002
【特許請求の範囲】
【請求項１】
インターネットラジオの楽曲コンテンツ配信サーバから受信装置に配信された楽曲コンテンツを再生するように制御する再生制御装置であって、
前記楽曲コンテンツ配信サーバから配信される楽曲コンテンツの前記受信装置における受信レベルが所定値未満であるか否かについて判定する受信判定部と、
前記受信判定部により前記受信レベルが所定値未満であると判定された場合、前記再生制御装置からアクセスすることが可能な記録媒体に記録されている楽曲コンテンツに付随している第１の属性情報と、前記配信される楽曲コンテンツに関連する第２の属性情報とが一致するか否かについて判定する属性判定部と、
前記属性判定部により一致すると判定された場合、前記第１の属性情報が付随している前記楽曲コンテンツを前記記録媒体から取り出して再生するように制御する再生制御部とを備えたことを特徴とする再生制御装置。
【請求項２】
請求項１に記載の再生制御装置において、
前記第２の属性情報は、前記楽曲コンテンツ配信サーバから前記楽曲コンテンツの配信を受けるために必要な情報としてユーザにより設定された属性情報であることを特徴とする再生制御装置。
【請求項３】
請求項１に記載の再生制御装置において、
前記第２の属性情報は、前記楽曲コンテンツ配信サーバから配信された楽曲コンテンツに付随する属性情報であることを特徴とする再生制御装置。
【請求項４】
インターネットラジオの楽曲コンテンツ配信サーバから受信装置に配信された楽曲コンテンツを再生するように制御する再生制御装置における再生制御方法であって、
前記再生制御装置の受信判定部が、前記楽曲コンテンツ配信サーバから配信される楽曲コンテンツの前記受信装置における受信レベルが所定値未満であるか否かについて判定する第１のステップと、
前記再生制御装置の属性判定部が、前記第１のステップにより前記受信レベルが所定値未満であると判定された場合、前記再生制御装置からアクセスすることが可能な記録媒体に記録されている楽曲コンテンツに付随している第１の属性情報と、前記楽曲コンテンツ配信サーバから配信される楽曲コンテンツに関連する第２の属性情報とが一致するか否かについて判定する第２のステップと、
前記再生制御装置の再生制御部が、前記第２のステップにより一致すると判定された場合、前記第１の属性情報が付随している前記楽曲コンテンツを前記記録媒体から取り出して再生するように制御する第３のステップとを有することを特徴とする再生制御方法。
【発明の詳細な説明】
【技術分野】
【０００１】
本発明は、再生制御装置および再生制御方法に関し、特に、インターネットラジオの楽曲コンテンツ配信サーバから配信された楽曲コンテンツを再生するように制御する再生制御装置に用いて好適なものである。
【背景技術】
【０００２】
近年、インターネットを介して楽曲コンテンツの配信をストリーミング方式で行うインターネットラジオサービスが普及してきている。インターネットラジオには、オンデマンド方式によるものと、ライブ方式によるものとがある。オンデマンド方式は、楽曲コンテンツを事前に収録しておき、ユーザのリクエストによっていつでも配信できるようにした方式である。ライブ方式は、楽曲コンテンツをリアルタイムに生成してユーザに配信する方式である。
【０００３】
最近では、オンデマンド方式によるインターネットラジオの１つとして、「音楽発見エンジン」とも呼ばれる新サービスが提供されている。この新サービスでは、ユーザ専用のラジオ局を作成することができる。ラジオ局は、ユーザがお気に入りのジャンル、アーティスト名、楽曲タイトル名、作曲者名などの属性情報を指定することによって作成する。ラジオ局を作成すると、属性情報に関連付けられた楽曲コンテンツとリズムやサウンドの似た楽曲コンテンツがインターネットを通じてストリーム配信される。
【０００４】
この種のインターネットラジオサービスを携帯端末で利用する場合、ユーザは携帯端末に対して、聴きたい楽曲に関連するジャンル、アーティスト名、楽曲タイトル名または作曲者名などの属性情報を入力する。すると、携帯端末は、その属性情報に基づくユーザ専用のラジオ局を作成する。そして、携帯端末は、インターネットを介して、作成したラジオ局の属性情報を楽曲コンテンツ配信サーバに送信する。
【０００５】
楽曲コンテンツ配信サーバは、携帯端末から送信された属性情報に関連付けられている楽曲コンテンツとリズムやサウンドの似た楽曲コンテンツを抽出し、携帯端末に順次送信する。携帯端末は、楽曲コンテンツ配信サーバから順次送信された楽曲コンテンツを再生して音声出力する。このようなインターネットラジオサービスを利用することによって、ユーザは、自分好みのリズムやサウンドを有する多くの楽曲コンテンツを聴くことができ、今まで全く聴いたことのなかった自分好みの楽曲コンテンツに出会える喜びを享受することができる。
【０００６】
現在、楽曲コンテンツ配信サーバから携帯端末に配信される楽曲コンテンツに基づく音声を車内でも聴きたいというユーザの要望がある。そこで、携帯端末と車載装置とを連携させて、携帯端末に配信される楽曲コンテンツに基づく音声を車載装置から出力することが検討されている。
【０００７】
しかしながら、携帯端末に配信される楽曲コンテンツに基づく音声を車載装置から出力するために当該携帯端末を車両に搭載する場合、楽曲コンテンツ配信サーバから配信される楽曲コンテンツの携帯端末における受信状況が車両の移動によって変化する。そのため、受信状況が良好ではない場所を車両が移動しているときは、楽曲コンテンツ配信サーバから配信される楽曲コンテンツに基づく音声を車載装置から出力することができない。
【０００８】
その場合、ユーザは、例えば、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）等、他の音楽ソースに切り替えて楽曲コンテンツを視聴することが多い。ところがその場合、ユーザは他の音楽ソースに切り替える操作を手動で行う必要があった。ユーザが運転中に音楽ソースの切り替え操作をすることは、非常に面倒であるばかりでなく、安全走行の面でも大きな問題となる。
【０００９】
これに対して、音楽ソースの切り替え技術としては、弱電界地域などで放送信号（テレビまたはラジオ）を良好に受信できない場合、別の情報ソース（例えば、ナビゲーション装置）に自動的に切り替える技術が提案されている（例えば、特許文献１を参照）。また、テレビの受信状態を監視し、受信状態が特定レベル以上に悪化した場合、テレビの音声を、同一放送内容を放送しているラジオの音声に切り替えて出力する技術が提案されている（例えば、特許文献２を参照）。
【先行技術文献】
【特許文献】
【００１０】
【特許文献１】特開２０００−２６１７３１号公報
【特許文献２】特開２０００−１０６６５７号公報
【発明の概要】
【発明が解決しようとする課題】
【００１１】
しかしながら、「音楽発見エンジン」を搭載した楽曲コンテンツ配信サーバから配信される楽曲コンテンツに基づく音声を聴いているときに、受信状態が悪化して楽曲コンテンツを受信できなくなった場合、ユーザは、今まで聴いていた楽曲コンテンツと類似する楽曲コンテンツを引き続き聴きたい場合がある。この場合、ユーザは、類似する楽曲コンテンツを自分で探し出して再生する操作を行う必要があるという問題があった。
【００１２】
なお、上述した特許文献１においては、受信状況が悪化した場合、音楽ソースをナビゲーション装置に自動的に切り替えることについての言及はあるが、今まで聴いていた楽曲コンテンツと類似する楽曲コンテンツに切り替えて再生することについての言及はない。すなわち、上記特許文献１に記載の技術では、上記問題を解決することはできない。
【００１３】
また、上述した特許文献２において、受信状況が悪化した場合、テレビの音声を、同一放送内容を放送しているラジオの音声に自動的に切り替えることについての言及はある。しかし、この切り替え処理は、切り替え先であるラジオの受信状況が良いことが前提となる。そのため、ラジオの受信状況が悪い場合には、そもそも切り替えることができない。すなわち、上記特許文献２に記載の技術では、切り替え先の受信状況によって音楽ソースを切り替えられるか否かが決まり、受信状況が良好ではない場所における上記問題を確実に解決することはできない。
【００１４】
本発明は、このような問題を解決するために成されたものであり、受信状況の悪化によって楽曲コンテンツ配信サーバから配信される楽曲コンテンツに基づく音声を出力できない場合であっても、ユーザが面倒なく、今まで聴いていた楽曲コンテンツと類似する楽曲コンテンツを聴き続けることができるようにすることを目的とする。
【課題を解決するための手段】
【００１５】
上記した課題を解決するために、本発明の再生制御装置では、インターネットラジオの楽曲コンテンツ配信サーバから受信装置に配信される楽曲コンテンツの当該受信装置における受信レベルが所定値未満である場合、楽曲コンテンツ配信サーバから配信される楽曲コンテンツに関連する属性情報と同じ属性情報が付随している楽曲コンテンツを、再生制御装置からアクセスすることが可能な記録媒体から取り出して再生するようにしている。
【発明の効果】
【００１６】
上記のように構成した本発明によれば、楽曲コンテンツの受信レベルが悪化した場合、インターネットラジオとは異なる音楽ソースからユーザが類似する楽曲コンテンツを探し出して再生する操作をわざわざ行わなくても、楽曲コンテンツ配信サーバから配信される楽曲コンテンツと属性情報の一致する楽曲コンテンツが、インターネットラジオとは異なる音楽ソースから自動的に探し出されて再生される。属性情報が一致する楽曲コンテンツどうしは、互いに類似するものである可能性が高い。よって、受信状況の悪化によって楽曲コンテンツ配信サーバから配信される楽曲コンテンツに基づく音声を出力できない場合であっても、ユーザは面倒なく、今まで聴いていた楽曲コンテンツと類似する楽曲コンテンツを聴き続けることができる。
【図面の簡単な説明】
【００１７】
【図１】本発明の再生制御装置を車載装置に備えた楽曲コンテンツ配信システムの構成例を示すブロック図である。
【図２】本実施形態による楽曲コンテンツの再生制御動作例を示すフローチャートである。
【発明を実施するための形態】
【００１８】
以下、本発明の一実施形態（以下、本実施形態）を図面に基づいて説明する。図１は、本発明の再生制御装置を車載装置１６０に備えた楽曲コンテンツ配信システム１００の構成例を示すブロック図である。図１に示すように、楽曲コンテンツ配信システム１００は、楽曲コンテンツ配信サーバ１２０、携帯端末１４０（特許請求の範囲の受信装置に相当する）および車載装置１６０を備えて構成されている。このうち、楽曲コンテンツ配信サーバ１２０は、例えば楽曲コンテンツ配信センタに設置される。携帯端末１４０および車載装置１６０は、例えば、ユーザが運転する車両内に設置される。そして、楽曲コンテンツ配信サーバ１２０、携帯端末１４０、車載装置１６０の間が有線または無線の通信回線にて接続されている。
【００１９】
まず、楽曲コンテンツ配信サーバ１２０の機能構成について説明する。図１に示すように、楽曲コンテンツ配信サーバ１２０は、楽曲コンテンツ記憶部２００、指定ラジオ局情報受信部２２０、楽曲コンテンツ特定部２４０および楽曲コンテンツ送信部２６０を備えて構成されている。
【００２０】
楽曲コンテンツ記憶部２００は、複数の楽曲コンテンツを記憶する。各楽曲コンテンツには、アーティスト名、アルバム名、楽曲タイトル名、作曲者名などの属性情報が付随している。また、各楽曲コンテンツには、その音楽的特徴（例えば、リズムやサウンドなど）を示す音楽的特徴情報が関連付けられている。音楽的特徴情報は、楽曲コンテンツ配信サーバ１２０を管理する楽曲コンテンツ配信業者が各楽曲コンテンツを分析することによって生成している。
【００２１】
指定ラジオ局情報受信部２２０は、携帯端末１４０から送信された指定ラジオ局情報を受信する。そして、指定ラジオ局情報受信部２２０は、受信した指定ラジオ局情報を楽曲コンテンツ特定部２４０に出力する。指定ラジオ局情報は、ユーザが車載装置１６０において指定したラジオ局を示す情報である（詳細については後述する）。
【００２２】
楽曲コンテンツ特定部２４０は、指定ラジオ局情報受信部２２０から指定ラジオ局情報が出力された場合、楽曲コンテンツ記憶部２００を参照し、当該指定ラジオ局情報に含まれる属性情報（アーティスト名、アルバム名、楽曲タイトル名、作曲者名など）を属性情報の一つとして有する楽曲コンテンツをランダムに１つ抽出する。そして、楽曲コンテンツ特定部２４０は、抽出した楽曲コンテンツの音楽的特徴情報との類似度が高い音楽的特徴を有する楽曲コンテンツを携帯端末１４０に対する配信対象として特定する。
【００２３】
また、楽曲コンテンツ特定部２４０は、次の配信対象として特定した楽曲コンテンツを楽曲コンテンツ記憶部２００から取り出して楽曲コンテンツ送信部２６０に出力する。楽曲コンテンツ送信部２６０は、楽曲コンテンツ特定部２４０から出力された楽曲コンテンツを属性情報と共に携帯端末１４０に送信する。
【００２４】
次に、携帯端末１４０の機能構成について説明する。図１に示すように、携帯端末１４０は、ラジオ局生成部３００、ラジオ局情報記憶部３２０、ラジオ局情報送信部３４０、指定ラジオ局情報受信部３６０、指定ラジオ局情報送信部３８０、楽曲コンテンツ受信部４００、楽曲コンテンツ送信部４２０、受信レベル検出部４４０および受信レベル情報送信部４６０を備えて構成されている。携帯端末１４０の各機能ブロック３００〜４６０は、携帯端末１４０にインストールされたアプリケーションプログラムにより実現される。
【００２５】
ラジオ局生成部３００は、操作部（図示せず、以下同じ）に対するユーザの入力操作によって、楽曲コンテンツ配信サーバ１２０から楽曲コンテンツの配信を受けるためのラジオ局を生成する。具体的には、ラジオ局生成部３００は、ユーザによって入力された属性情報（アーティスト名、アルバム名、楽曲タイトル名、作曲者名など）を含む情報を携帯端末１４０のアプリケーションプログラムが認識可能なラジオ局情報として生成する。そして、ラジオ局生成部３００は、生成したラジオ局情報をラジオ局情報記憶部３２０に記憶させる。
【００２６】
ラジオ局情報送信部３４０は、ラジオ局情報の送信要求を車載装置１６０から受けた場合、ラジオ局情報記憶部３２０に記憶されているラジオ局情報を車載装置１６０に送信する。ラジオ局情報記憶部３２０に記憶されているラジオ局情報が複数あれば、ラジオ局情報送信部３４０は、複数のラジオ局情報を車載装置１６０に送信する。この場合、車載装置１６０では、ラジオ局情報送信部３４０から送信された複数のラジオ局情報のうち何れかがユーザにより指定される。
【００２７】
指定ラジオ局情報受信部３６０は、車載装置１６０から送信された指定ラジオ局情報を受信する。そして、指定ラジオ局情報受信部３６０は、受信した指定ラジオ局情報を指定ラジオ局情報送信部３８０に出力する。指定ラジオ局情報送信部３８０は、指定ラジオ局情報受信部３６０から出力された指定ラジオ局情報を楽曲コンテンツ配信サーバ１２０の指定ラジオ局情報受信部２２０に送信する。そうすると、上述したように、指定ラジオ局情報に応じた楽曲コンテンツが楽曲コンテンツ配信サーバ１２０から携帯端末１４０に配信される。
【００２８】
楽曲コンテンツ受信部４００は、楽曲コンテンツ配信サーバ１２０の楽曲コンテンツ送信部２６０から送信された楽曲コンテンツおよび属性情報を受信する。そして、楽曲コンテンツ受信部４００は、受信した楽曲コンテンツおよび属性情報を楽曲コンテンツ送信部４２０に出力する。楽曲コンテンツ送信部４２０は、楽曲コンテンツ受信部４００から出力された楽曲コンテンツおよび属性情報を車載装置１６０に送信する。
【００２９】
受信レベル検出部４４０は、楽曲コンテンツ受信部４００により楽曲コンテンツ配信サーバ１２０から配信される楽曲コンテンツの携帯端末１４０における受信レベルを一定間隔毎に検出する。そして、受信レベル情報送信部４６０は、受信レベル検出部４４０により受信レベルを検出する毎に、検出した受信レベルを示す受信レベル情報を車載装置１６０に送信する。
【００３０】
最後に、車載装置１６０の機能構成について説明する。図１に示すように、車載装置１６０は、操作受付部５００、楽曲コンテンツ記憶部５２０（特許請求の範囲の記録媒体に相当する）、再生制御部５４０、ラジオ局情報受信部５６０、表示制御部５８０、指定ラジオ局情報送信部６００、楽曲コンテンツ受信部６２０、受信判定部６４０、属性判定部６６０および属性情報記憶部６８０を備えて構成されている。
【００３１】
操作受付部５００は、操作部（図示せず、以下同じ）を介して、所望の楽曲コンテンツの再生を要求する操作を受け付ける。そして、操作受付部５００は、楽曲コンテンツの再生要求を再生制御部５４０に出力する。また、操作受付部５００は、操作部を介して、ラジオ局情報を表示することを要求する操作を受け付ける。そして、操作受付部５００は、ラジオ局情報の表示要求をラジオ局情報受信部５６０に出力する。また、操作受付部５００は、操作部を介して、表示制御部５８０により表示されているラジオ局情報の中から何れかのラジオ局情報を指定する操作を受け付ける。そして、操作受付部５００は、指定されたラジオ局情報を指定ラジオ局情報送信部６００に通知する。
【００３２】
楽曲コンテンツ記憶部５２０は、車載装置１６０に内蔵されたハードディスク等の記録媒体であり、複数の楽曲コンテンツを記憶する。各楽曲コンテンツには、アーティスト名、アルバム名、楽曲タイトル名、作曲者名などを含む属性情報（本発明の第１の属性情報に相当する、以下「第１の属性情報」と称する）が付随している。本実施形態では、第１の属性情報は、例えば各楽曲コンテンツのＴＯＣ（Ｔａｂｌｅ  ｏｆ  Ｃｏｎｔｅｎｔｓ）情報をキーとして、車載装置１６０内で保有する図示しないＣＤＤＢ（Ｃｏｍｐａｃｔ  Ｄｉｓｃ  ＤａｔａＢａｓｅ）にアクセスして検索された情報である。ＣＤＤＢは、各種の音楽ＣＤや音楽ＤＶＤに収録された楽曲に関する情報（収録曲の楽曲タイトル名、アーティスト名、アルバム名、ジャンルなど）を提供するためのデータベースである。
【００３３】
再生制御部５４０は、所望の楽曲コンテンツの再生要求が操作受付部５００から出力された場合、再生要求に係る楽曲コンテンツを楽曲コンテンツ記憶部５２０から取り出して再生するように制御する。また、再生制御部５４０は、楽曲コンテンツ受信部６２０から楽曲コンテンツが出力された場合、当該楽曲コンテンツを再生するように制御する。
【００３４】
また、再生制御部５４０は、属性判定部６６０から第１の属性情報が出力された場合、当該第１の属性情報が付随している楽曲コンテンツを楽曲コンテンツ記憶部５２０から取り出して再生するように制御する。第１の属性情報が付随している楽曲コンテンツが複数存在する場合には、再生制御部５４０は、例えば複数の楽曲コンテンツをランダムな順番に従って再生する。ただし、一度再生した楽曲コンテンツは繰り返し再生しないようにすることが好ましい。
【００３５】
ラジオ局情報受信部５６０は、ラジオ局情報の表示要求が操作受付部５００から出力された場合、ラジオ局情報を送信することを携帯端末１４０のラジオ局情報送信部３４０に要求する。そして、ラジオ局情報受信部５６０は、ラジオ局情報の送信要求に応答してラジオ局情報送信部３４０から送信されたラジオ局情報を受信する。
【００３６】
ラジオ局情報受信部５６０は、受信したラジオ局情報を内部のバッファメモリ（図示せず、以下同じ）に保持する。そして、ラジオ局情報受信部５６０は、バッファメモリに保持したラジオ局情報を表示制御部５８０に出力する。表示制御部５８０は、バッファメモリから出力されたラジオ局情報をディスプレイ（図示せず、以下同じ）に表示するように制御する。
【００３７】
また、表示制御部５８０は、楽曲コンテンツ受信部６２０から出力された属性情報を、それに対応する楽曲データが再生制御部５４０により再生されるときにディスプレイに表示するように制御する。これにより、その表示を見たユーザは、現在聴いている楽曲データのアーティスト名や楽曲タイトル名などを容易に把握することができる。
【００３８】
指定ラジオ局情報送信部６００は、操作受付部５００からラジオ局情報が通知された場合、通知されたラジオ局情報をラジオ局情報受信部５６０のバッファメモリから取得し、その取得したラジオ局情報を指定ラジオ局情報として携帯端末１４０の指定ラジオ局情報受信部３６０に送信する。そうすると、上述したように、指定ラジオ局情報送信部６００から送信された指定ラジオ局情報に応じた楽曲コンテンツが、楽曲コンテンツ配信サーバ１２０から携帯端末１４０を介して車載装置１６０に送られてくる。
【００３９】
また、指定ラジオ局情報送信部６００は、操作受付部５００からラジオ局情報が通知された場合、ラジオ局情報受信部５６０のバッファメモリから取得した指定ラジオ局情報に含まれる属性情報（本発明の第２の属性情報に相当する、以下「第２の属性情報」と称する）を属性情報記憶部６８０に記憶させる。
【００４０】
楽曲コンテンツ受信部６２０は、携帯端末１４０の楽曲コンテンツ送信部４２０から送信された楽曲コンテンツおよび属性情報を受信する。そして、楽曲コンテンツ受信部６２０は、受信した楽曲コンテンツを再生制御部５４０に出力するとともに、受信した属性情報を表示制御部５８０に出力する。
【００４１】
受信判定部６４０は、携帯端末１４０の受信レベル情報送信部４６０から送信された受信レベル情報を受信する。そして、受信判定部６４０は、受信した受信レベル情報により示される受信レベルが所定時間以上、所定値未満であるか否かについて判定する。もし、受信レベルが所定時間以上続けて所定値未満であると判定した場合、受信判定部６４０は、その旨を属性判定部６６０に通知する。一方、受信レベルが所定時間以上続けて所定値未満でないと判定した場合、受信判定部６４０は、属性判定部６６０に何も通知しない。
【００４２】
属性判定部６６０は、受信レベルが所定時間以上続けて所定値未満である旨の通知を受信判定部６４０から受けた場合、属性情報記憶部６８０から第２の属性情報（例えば、アーティスト名）を取り出す。そして、属性判定部６６０は、属性情報記憶部６８０から取り出した第２の属性情報（指定ラジオ局情報に含まれるもの）と同じ属性情報が楽曲コンテンツ記憶部５２０に第１の属性情報として記憶されているか否かについて判定する。
【００４３】
もし、指定ラジオ局情報に含まれる第２の属性情報と同じ第１の属性情報が楽曲コンテンツ記憶部５２０に記憶されていると判定した場合、属性判定部６６０は、当該第１の属性情報を再生制御部５４０に出力する。この場合、再生制御部５４０は、上述したように、第１の属性情報が付随している楽曲コンテンツを楽曲コンテンツ記憶部５２０から取り出して再生する。例えば、属性情報記憶部６８０に記憶されている第２の属性情報が所望のアーティスト名であった場合、そのアーティスト名を第１の属性情報として有している楽曲コンテンツが楽曲コンテンツ記憶部５２０から再生制御部５４０に取り出されて再生される。一方、第２の属性情報と同じ第１の属性情報が楽曲コンテンツ記憶部５２０に記憶されていないと判定した場合、属性判定部６６０は、再生制御部５４０に何も出力しない。
【００４４】
次に、本実施形態による楽曲コンテンツの再生制御動作について説明する。図２は、本実施形態による楽曲コンテンツの再生制御動作例を示すフローチャートである。図２に示すフローチャートは、指定ラジオ局情報送信部６００から送信された指定ラジオ局情報に応じた最初の楽曲コンテンツが、楽曲コンテンツ配信サーバ１２０から携帯端末１４０を介して車載装置１６０に送られてくることにより開始する。なお、指定ラジオ局情報送信部６００は既に、ラジオ局情報受信部５６０のバッファメモリから取得した指定ラジオ局情報に含まれる第２の属性情報を属性情報記憶部６８０に記憶させているものとする。
【００４５】
まず、受信判定部６４０は、携帯端末１４０の受信レベル情報送信部４６０から受信した受信レベル情報により示される受信レベルが所定時間以上、所定値未満であるか否かについて判定する（ステップＳ１００）。もし、受信レベルが所定時間以上続けて所定値未満でない（受信状況が悪化していない）と受信判定部６４０にて判定した場合（ステップＳ１００にてＮＯ）、再生制御部５４０は、楽曲コンテンツ受信部６２０から出力された楽曲コンテンツ（楽曲コンテンツ配信サーバ１２０から配信された楽曲コンテンツ）を再生するように制御する（ステップＳ１２０）。その後、処理はステップＳ１００に遷移する。
【００４６】
一方、受信レベルが所定時間以上続けて所定値未満である（受信状況が悪化している）と受信判定部６４０にて判定した場合（ステップＳ１００にてＹＥＳ）、受信判定部６４０は、その旨を属性判定部６６０に通知する。次に、属性判定部６６０は、受信レベルが所定時間以上続けて所定値未満である旨の通知を受信判定部６４０から受けて、属性情報記憶部６８０から第２の属性情報（例えば、アーティスト名）を取り出す（ステップＳ１４０）。
【００４７】
次に、属性判定部６６０は、属性情報記憶部６８０から取り出した第２の属性情報（指定ラジオ局情報に含まれるもの）と同じ属性情報が楽曲コンテンツ記憶部５２０に第１の属性情報として記憶されているか否かについて判定する（ステップＳ１６０）。もし、第２の属性情報と同じ第１の属性情報が楽曲コンテンツ記憶部５２０に記憶されていないと属性判定部６６０にて判定した場合（ステップＳ１６０にてＮＯ）、処理はステップＳ１００に遷移する。
【００４８】
一方、第２の属性情報と同じ第１の属性情報が楽曲コンテンツ記憶部５２０に記憶されていると属性判定部６６０にて判定した場合（ステップＳ１６０にてＹＥＳ）、属性判定部６６０は、当該第１の属性情報を再生制御部５４０に出力する。
【００４９】
最後に、再生制御部５４０は、属性判定部６６０から出力された第１の属性情報が付随している楽曲コンテンツを楽曲コンテンツ記憶部５２０から取り出して再生するように制御する（ステップＳ１８０）。ステップＳ１８０の処理が完了した（楽曲コンテンツの再生が最後まで終わった）後、処理はステップＳ１００に遷移する。
【００５０】
なお、属性判定部６６０から出力された第１の属性情報が付随している楽曲コンテンツを再生している最中に、受信レベルが所定時間以上続けて所定値以上になった場合には、再生制御部５４０は、当該楽曲コンテンツの再生を即座に中止し、楽曲コンテンツ受信部６２０から出力された楽曲コンテンツを再生するようにしても良い。
【００５１】
以上詳しく説明したように、本実施形態では、インターネットラジオの楽曲コンテンツ配信サーバ１２０から配信される楽曲コンテンツの携帯端末１４０における受信レベルが所定時間以上続けて所定値未満である場合、楽曲コンテンツ配信サーバ１２０から楽曲コンテンツの配信を受けるために設定したラジオ局情報に含まれる属性情報と同じ属性情報が付随している楽曲コンテンツを楽曲コンテンツ記憶部５２０から取り出して再生するようにしている。
【００５２】
このように構成した本実施形態によれば、楽曲コンテンツの受信レベルが悪化した場合、インターネットラジオとは異なる音楽ソースからユーザが類似する楽曲コンテンツを探し出して再生する操作をわざわざ行わなくても、楽曲コンテンツ配信サーバ１２０から配信される楽曲コンテンツと属性情報の一致する楽曲コンテンツが、インターネットラジオとは異なる音楽ソースから自動的に探し出されて再生される。属性情報が一致する楽曲コンテンツどうしは、互いに類似するものである可能性が高い。よって、受信状況の悪化によって楽曲コンテンツ配信サーバ１２０から配信される楽曲コンテンツに基づく音声を出力できない場合であっても、ユーザは面倒なく、今まで聴いていた楽曲コンテンツと類似する楽曲コンテンツを聴き続けることができる。
【００５３】
なお、上記実施形態では、第２の属性情報が、指定ラジオ局情報に含まれる属性情報（すなわち、楽曲コンテンツ配信サーバ１２０から楽曲コンテンツの配信を受けるためにユーザが設定した属性情報）である例について説明したが、本発明はこれに限定されない。例えば、第２の属性情報は、楽曲コンテンツ配信サーバ１２０から直近で配信された楽曲コンテンツに付随する属性情報（例えば、アーティスト名）でも良い。受信状態が悪化する直前に楽曲コンテンツ配信サーバ１２０からは、指定ラジオ局情報に含まれる属性情報（アーティスト名）とアーティスト名が異なるが、リズムやサウンドの似た楽曲コンテンツが配信されることもある。このとき、車載装置１６０では、指定ラジオ局情報に含まれる属性情報（例えば、アーティストＡ）とは異なる属性情報（例えば、アーティストＢ）が付随している楽曲コンテンツが再生される。そのため、ユーザは受信状態が悪化したときに直近で聴いていた楽曲コンテンツを基準にして類似する楽曲コンテンツを引き続き聴くことができ、再生対象の楽曲コンテンツが楽曲コンテンツ配信サーバ１２０から配信される楽曲コンテンツでなくなることの違和感をユーザになるべく与えないようにすることができる。
【００５４】
また、上記実施形態において、指定ラジオ局情報に含まれる属性情報と一致する属性情報が付随している楽曲コンテンツが楽曲コンテンツ記憶部５２０に記憶されていない場合に、楽曲コンテンツ配信サーバ１２０から配信された楽曲コンテンツに付随する属性情報と一致する属性情報が付随している楽曲コンテンツを楽曲コンテンツ記憶部５２０から取り出して再生するようにしても良い。このようにすれば、ある楽曲コンテンツを聴いているときに受信レベルが悪化した場合、類似の楽曲コンテンツを楽曲コンテンツ記憶部５２０から探し出して再生できる可能性が高くなり、今まで聴いていた楽曲コンテンツと類似する楽曲コンテンツを聴き続けたいユーザにとって便宜である。
【００５５】
また、上記実施形態において、携帯端末１４０と車載装置１６０とが別体化されている例について説明したが、本発明はこれに限定されない。例えば、携帯端末１４０の機能が車載装置１６０に内蔵されていても良い。
【００５６】
また、上記実施形態では、楽曲コンテンツ記憶部５２０が車載装置１６０に備えられる例について説明したが、本発明はこれに限定されない。例えば、楽曲コンテンツ記憶部５２０は、携帯端末１４０に備えられても良い。
【００５７】
また、上記実施形態では、属性情報記憶部６８０が車載装置１６０に備えられる例について説明したが、本発明はこれに限定されない。例えば、属性情報記憶部６８０は、携帯端末１４０に備えられても良い。
【００５８】
また、上記実施形態では、類似する楽曲コンテンツとしてアーティスト名が同じ楽曲コンテンツを探し出して再生する例について説明したが、本発明はこれに限定されない。例えば、類似する楽曲コンテンツとしてアルバム名、ジャンル、作曲者名などが同じ楽曲コンテンツを探し出して再生するようにしても良い。この場合、受信状態が悪化している最中、再生が１曲終わる毎に、属性情報記憶部６８０から例えばアーティスト名、ジャンル、アルバム名、作曲者名の順番で異なる第２の属性情報を取り出して、第２の属性情報と同じ第１の属性情報が記憶されているかの判定処理を行っても良い。このようにすれば、ユーザは、アーティスト名が共通する楽曲コンテンツに限らず、ジャンルやアルバム名、作曲者名が共通する楽曲コンテンツも聴くことができ、今まで聴いていた楽曲コンテンツと類似する楽曲コンテンツを幅広く聴き続けることができる。
【００５９】
その他、上記実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００６０】
１２０  楽曲コンテンツ配信サーバ
１４０  携帯端末（受信装置）
１６０  車載装置（再生制御装置）
５２０  楽曲コンテンツ記憶部（記録媒体）
５４０  再生制御部
６４０  受信判定部
６６０  属性判定部
【図１】
2012173695.tif 000003
【図２】
2012173695.tif 000004